(57)【特許請求の範囲】
【請求項１】
カラー情報を通信可能な通信装置において、
受信機へ、ＪＰＥＧ符号化に基づいた送信を行うか否かの指定、カラー送信を行うか否かの指定、エラーコレクションモードでの送信を行うか否かの指定を実行する手段、
エラーコレクション送信を実行するか否かを選択する手段、
カラー送信を選択する手段を有し、
カラー送信が選択された場合であっても、エラーコレクション送信を実行しない事が選択されていることに基づいてカラー送信を実行しない制御手段を有することを特徴とする通信装置。
【請求項２】
前記制御手段は、カラー送信が選択された場合、前記受信機がカラー受信機能、及び、ＪＰＥＧ受信機能を持たない場合カラー送信を実行しない事を特徴とする請求項１記載の通信装置。
【請求項３】
カラー情報を通信可能な通信装置において、
送信機へ、ＪＰＥＧ符号化に基づいた受信機能の有無、カラー受信機能の有無、エラーコレクションモードでの受信機能の有無を通知する手段、
エラーコレクション受信を実行するか否かを選択する手段を有し、
エラーコレクション受信を実行しない事が選択されていることに基づいて、前記通知手段は、ＪＰＥＧ符号化に基づいた受信機能無し、カラー受信機能無し、エラーコレクションモードでの受信機能無しを送信機へ通知する事を特徴とする通信装置。
【請求項４】
カラー情報を通信可能な通信装置において、
受信機として動作する場合に送信機へ、ＪＰＥＧ符号化に基づいた受信機能の有無、カラー受信機能の有無、エラーコレクションモードでの受信機能の有無を通知する手段、
送信機として動作する場合に受信機へ、ＪＰＥＧ符号化に基づいた送信を行うか否かの指定、カラー送信を行うか否かの指定、エラーコレクションモードでの送信を行うか否かの指定を実行する手段、
エラーコレクション通信を実行するか否かを選択する手段、
カラー送信を選択する手段を有し、
送信機として動作する際、カラー送信が選択された場合であっても、エラーコレクション通信を実行しない事が選択されていることに基づいてカラー送信を実行せず、かつ、相手受信機にカラー受信機能、及び、ＪＰＥＧ受信機能が無いことに基づいてカラー送信を実行しない制御手段を有し、
受信機として動作する際、エラーコレクション通信を実行しない事が選択されていることに基づいて、前記通知手段は、ＪＰＥＧ符号化に基づいた受信機能無し、カラー受信機能無し、エラーコレクションモードでの受信機能無しを送信機へ通知する事を特徴とする通信装置。
【請求項５】
エラーコレクションモードでの通信を必須とするカラー通信が可能な通信装置において、
受信機へ、カラー送信を行うか否かの指定、エラーコレクションモードでの送信を行うか否かの指定を実行する手段、
エラーコレクション送信を実行するか否かを選択する手段、
カラー送信を選択する手段を有し、
カラー送信が選択された場合であっても、エラーコレクション送信を実行しない事が選択されていることに基づいてカラー送信を実行しない制御手段を有することを特徴とする通信装置。
【請求項６】
カラー情報を通信可能な通信装置において、
送信機へ、ＪＰＥＧ符号化に基づいた受信機能の有無、カラー受信機能の有無、エラーコレクションモードでの受信機能の有無を通知する手段、
エラーコレクション受信を実行するか否かを選択する手段を有し、
エラーコレクション受信を実行しない事が選択されていることに基づいて、前記通知手段は、カラー受信機能無し、エラーコレクションモードでの受信機能無しを送信機へ通知する事を特徴とする通信装置。
【請求項７】
エラーコレクションモードでの通信を必須とするカラー通信が可能な通信装置において、
受信機として動作する場合に送信機へ、カラー受信機能の有無、エラーコレクションモードでの受信機能の有無を通知する手段、
送信機として動作する場合に受信機へ、カラー送信を行うか否かの指定、エラーコレクションモードでの送信を行うか否かの指定を実行する手段、
エラーコレクション通信を実行するか否かを選択する手段、
カラー送信を選択する手段を有し、
送信機として動作する際、カラー送信が選択された場合であっても、エラーコレクション通信を実行しない事が選択されていることに基づいてカラー送信を実行しない制御手段を有し、
受信機として動作する際、エラーコレクション通信を実行しない事が選択されていることに基づいて、前記通知手段は、カラー受信機能無し、エラーコレクションモードでの受信機能無しを送信機へ通知する事を特徴とする通信装置。
【発明の詳細な説明】
【０００１】
【発明の属する技術分野】
本発明は、通信装置、特に、カラー情報を送信可能な通信装置（ファクシミリ装置）に関するものである。
【０００２】
【従来の技術】
従来のモノクロファクシミリ通信可能なファクシミリ装置では、エラーコレクションモードの実行をするか否かを登録する手段を有し、エラーコレクションモードでの通信を実行する事が選択されないと、受信時は、送信機にＤＩＳ信号により、エラーコレクションモードでの受信機能無しのみの情報を変更し前手順を実行し、送信時は、ＤＣＳ信号により、エラーコレクションモードを指定しない情報のみ変更し前手順を実行していた。
【０００３】
【発明が解決しようとする課題】
しかしながら、カラーファクシミリ装置が出現して、カラーファクシミリ通信ではＥＣＭ通信が必須であり、例えば、受信時に、エラーコレクションモードのみを削除したＤＩＳ信号を送信すると、送信機はこのＤＩＳ信号を受信した時、正しい動作が不可となってしまうという大きな欠点があった。
【０００４】
【課題を解決するための手段】
第１の本発明によれば、カラー情報を通信可能な通信装置において、受信機へ、ＪＰＥＧ符号化に基づいた送信を行うか否かの指定、カラー送信を行うか否かの指定、エラーコレクションモードでの送信を行うか否かの指定を実行する手段、エラーコレクション送信を実行するか否かを選択する手段、カラー送信を選択する手段を有し、カラー送信が選択された場合であっても、エラーコレクション送信を実行しない事が選択されていることに基づいてカラー送信の選択状況に無関係にカラー送信を実行しない事が可能になった。
【０００５】
第２の本発明によれば、第１の本発明において、カラー送信が選択時にて、相手受信機にカラー受信機能、及び、ＪＰＥＧ受信機能が無いとカラー送信を実行しない事が可能になった。
【０００６】
これらにより、エラーコレクション送信を実行しないが選択時は、合わせて、カラー送信も実行しない事が可能になり、プロトコル上での不具合が皆無になり、確実にエラーコレクションモードを実行せずにファクシミリ送信が可能になりとても使い易くなった。
【０００７】
第３の本発明によれば、カラー情報を通信可能な通信装置において、送信機へ、ＪＰＥＧ符号化に基づいた受信機能の有無、カラー受信機能の有無、エラーコレクションモードでの受信機能の有無を通知する手段、エラーコレクション受信を実行するか否かを選択する手段を有し、エラーコレクション受信を実行しない事が選択されていることに基づいて、ＪＰＥＧ符号化に基づいた受信機能無し、カラー受信機能無し、エラーコレクションモードでの受信機能無しを通知する事が可能になった。
【０００８】
これにより、エラーコレクション受信を実行しないが選択時は、合わせて、カラー受信も実行しない事が可能になり、プロトコル上での不具合が皆無になり、確実にエラーコレクションモードを実行せずにファクシミリ受信が可能になりとても使い易くなった。
【０００９】
第４の本発明によれば、カラー情報を通信可能な通信装置において、受信機として動作する場合に送信機へ、ＪＰＥＧ符号化に基づいた受信機能の有無、カラー受信機能の有無、エラーコレクションモードでの受信機能の有無を通知する手段、送信機として動作する場合に受信機へ、ＪＰＥＧ符号化に基づいた送信を行うか否かの指定、カラー送信を行うか否かの指定、エラーコレクションモードでの送信を行うか否かの指定を実行する手段、エラーコレクション通信を実行するか否かを選択する手段、カラー送信を選択する手段を有し、
送信機として動作する際、カラー送信が選択された場合であっても、エラーコレクション通信を実行しない事が選択されていることに基づいてカラー送信の選択状況に無関係にカラー送信を実行せず、かつ、相手受信機にカラー受信機能、及び、ＪＰＥＧ受信機能が無いことに基づいてカラー送信を実行しない制御手段を有し、受信機として動作する際、エラーコレクション通信を実行しない事が選択されていることに基づいて、前記通知手段は、ＪＰＥＧ符号化に基づいた受信機能無し、カラー受信機能無し、エラーコレクションモードでの受信機能無しを送信機へ通知する事が可能になった。
【００１０】
これにより、エラーコレクション通信を実行しないが選択時は、合わせて、カラー通信も実行しない事が可能になり、プロトコル上での不具合が皆無になり、確実にエラーコレクションモードを実行せずにファクシミリ通信が可能になりとても使い易くなった。
【００１１】
【発明の実施の形態】
（実施例１）
以下、図面に示す実施の形態に基づいて、本発明を詳細に説明する。
【００１２】
図１には、本発明の実施の形態であるファクシミリ装置がブロック図として図示されている。
【００１３】
２は、ＮＣＵ（網制御装置）で、電話網をデータ通信等に使用するために、その回線の端末に接続し、電話交換網の接続制御を行ったり、データ通信路への切り換えを行ったり、ループの保持を行うものである。また、ＮＣＵ２は、バス２６からの制御により、電話回線２ａを電話機側に接続（ＣＭＬオフ）したり、電話回線２ａをファクシミリ装置側に接続（ＣＭＬオン）するものである。なお、通常状態では、電話回線２ａは、電話機４側に接続されている。
【００１４】
４は、電話機である。
【００１５】
６は、ハイブリッド回路であり、送信系の信号と受信系の信号とを分離し、加算回路１２からの送信信号をＮＣＵ２経由で電話回線２ａに送出し、相手側からの信号をＮＣＵ２経由で受け取り、信号線６ａ経由で復調器８に送るものである。
【００１６】
８は、変復調器であり、ＩＴＵ−Ｔ勧告Ｖ．８、Ｖ．２１、Ｖ．２７ｔｅｒ、Ｖ．２９、Ｖ．１７、Ｖ．３４に基づいた変調及び復調を行う変復調器であり、バス２６の制御により、各伝送モードが指定される。８は、バス２６からの送信信号を入力し、変調データを信号線８ａに出力し、信号線６ａに出力されている受信信号を入力し、復調データをバス２６に出力する。
【００１７】
１０は、発呼回路であり、バス２６からの信号により、電話番号情報を入力し、信号線１０ａにＤＴＭＦの選択信号を出力する。
【００１８】
１２は、加算回路であり、信号線８ａの情報と信号線１０ａの情報を入力し、加算した結果を信号線１２ａに出力する。
【００１９】
１４は、カラー情報を読み取り可能な読取回路であり、読み取りデータをバス２６に出力する。
【００２０】
１６は、カラー情報を記録回路であり、バス２６に出力されている情報を順次１ライン毎に記録する。
【００２１】
１８は、メモリ回路であり、ワーク用のメモリ（ＲＡＭ）、さらに、読み取りデータの生情報、あるいは、符号化した情報を格納したり、また、受信情報、あるいは、復号化した情報等をバス２６を介して格納するために使用する。
【００２２】
メモリ１８には、ＥＣＭ送信を実行する、しないと登録するメモリがあり、また、ＥＣＭ受信を実行する、しないを登録するメモリがある。
【００２３】
２０は、操作部であり、ワンタッチダイヤル、短縮ダイヤル、テンキー、＊キー、＃キー、スタートキー、ストップキー、セットキー、カラー送信選択キー、メモリ１８への登録キー、その他のファンクションキーがあり、押下されたキー情報はバス２６に出力される。
【００２４】
操作部には、表示部があり、バス２６に出力されている情報を入力し、表示する。
【００２５】
２２は、ＣＰＵ（中央処理装置）であり、ファクシミリ全体の制御をしたり、ファクシミリ伝送制御手順を実行するが、その制御プログラムは、ＲＯＭ２４に格納される。
【００２６】
２６は、バスである。
【００２７】
２４は、  カラー情報を通信可能な通信装置おいて、受信機から送信機に、ＪＰＥＧ符号化に基づいた受信機能の有無、フルカラーモードでの受信機能の有無、エラーコレクションモードでの受信機能の有無を通知する手段、送信機から受信機に、ＪＰＥＧ符号化に基づいた送信指定、フルカラーモードでの送信指定、エラーコレクションモードでの送信指定を実行する手段、エラーコレクション送信を実行するか否かを選択する手段、カラー送信を選択する手段を有し、エラーコレクション送信を実行しない事が選択されているとカラー送信の選択状況に無関係にカラー送信を実行しない。ここで、カラー送信が選択時にて、相手受信機にフルカラー受信機能、及び、ＪＰＥＧ受信機能が無いとカラー送信を実行しない。一方、カラー情報を通信可能な通信装置おいて、受信機から送信機に、ＪＰＥＧ符号化に基づいた受信機能の有無、フルカラーモードでの受信機能の有無、エラーコレクションモードでの受信機能の有無を通知する手段、送信機から受信機に、ＪＰＥＧ符号化に基づいた送信指定、フルカラーモードでの送信指定、エラーコレクションモードでの送信指定を実行する手段、エラーコレクション受信を実行するか否かを選択する手段を有し、エラーコレクション受信を実行しない事が選択されていると、受信時に、ＪＰＥＧ符号化に基づいた受信機能無し、フルカラーモードでの受信機能無し、エラーコレクションモードでの受信機能無しを通知する。
【００２８】
以上の制御プログラムが格納されている。
【００２９】
図２、３、４、５、６には、図１の制御の流れ図が図示されている。
【００３０】
図２において、Ｓ０は、始めを表している。
【００３１】
S２は、バス２６を介して、メモリ１８をイニシャライズする事を表している。
【００３２】
S４は、バス２６を介して、操作部の表示部をクリアする事を表している。
【００３３】
S６では、バス２６を介してＮＣＵ２のＣＭＬをオフする。
【００３４】
Ｓ８では、バス２６を介して、操作部２０の情報を入力し、ＥＣＭ送信の実行する、しないの登録が選択されているか否かが判断され、ＹＥＳであると、Ｓ１０に進み、バス２６を介して、メモリ１８にＥＣＭ送信の実行する、しないを登録し、ＮＯであるとＳ１２に進む。
【００３５】
Ｓ１２では、バス２６を介して、操作部２０の情報を入力し、ＥＣＭ受信の実行する、しないの登録が選択されているか否かが判断され、ＹＥＳであると、Ｓ１４に進み、バス２６を介して、メモリ１８にＥＣＭ受信の実行する、しないを登録し、ＮＯであるとＳ１６に進む。
【００３６】
Ｓ１６では、ファクシミリ送信が選択されたか否かが判断されＹＥＳであるとＳ２２に進み、ＮＯであるとＳ１８に進む。
【００３７】
Ｓ１８では、ファクシミリ受信が選択されたか否かが判断されＹＥＳであるとＳ５４に進み、ＮＯであるとＳ２０に進み、その他の処理をする。
【００３８】
Ｓ２２では、バス２６を介してＮＣＵ２のＣＭＬをオンする。
【００３９】
Ｓ２４は、前手順を表している。
【００４０】
Ｓ２６では、バス２６を介して、操作部２０の情報を入力し、カラー送信が選択されたか否かが判断され、ＹＥＳであると、Ｓ２８に進み、ＮＯであるとＳ３８に進む。
【００４１】
Ｓ２８では、バス２６を介して、メモリ１８に格納されている情報を入力し、ＥＣＭ送信を実行すると登録されているか否かが判断され、ＹＥＳであるとＳ３０に進み、ＮＯであるとＳ４８に進む。
【００４２】
Ｓ３０では、相手受信機にＪＰＥＧ受信機能、かつ、フルカラー受信機能がともにあるか否かが判断され、ＹＥＳであるとＳ３２に進み、ＮＯであるとＳ３８に進む。
【００４３】
Ｓ３２は、残りに前手順を表している。ここで、ＥＣＭ送信、フルカラー送信、ＪＰＥＧ送信を指定する。
【００４４】
Ｓ３４は、画信号のカラー読み取り、カラーＥＣＭ送信を表している。
【００４５】
Ｓ３６は後手順を表している。
【００４６】
Ｓ３８では、バス２６を介して、メモリ１８に格納されている情報を入力し、ＥＣＭ送信を実行すると登録されているか否かが判断され、ＹＥＳであるとＳ４０に進み、ＮＯであるとＳ４８に進む。
【００４７】
Ｓ４０では、相手受信機にＥＣＭ受信機能があるか否かが判断され、ＹＥＳであるとＳ４２に進み、ＮＯであるとＳ４８に進む。
【００４８】
Ｓ４２は、残りに前手順を表している。ここで、ＥＣＭ送信を指定する。また、フルカラー送信、ＪＰＥＧ送信を指定しない。
【００４９】
Ｓ４４は、画信号のモノクロ読み取り、モノクロＥＣＭ送信を表している。
【００５０】
Ｓ４６は後手順を表している。
【００５１】
Ｓ４８は、残りの前手順を表している。ここで、ＥＣＭ送信、フルカラー送信、ＪＰＥＧ送信を全て、指定しない。
【００５２】
Ｓ５０は、画信号のモノクロ読み取り、モノクロＧ３（ＥＣＭでない）送信を表している。
【００５３】
Ｓ５２は後手順を表している。
【００５４】
Ｓ５４では、バス２６を介してＮＣＵ２のＣＭＬをオンする。
【００５５】
Ｓ５６では、バス２６を介して、メモリ１８に格納されている情報を入力し、ＥＣＭ受信を実行すると登録されているか否かが判断され、ＹＥＳであるとＳ６４に進み、ＮＯであるとＳ５８に進む。
【００５６】
Ｓ５８は前手順を表している。ここで、ＥＣＭ受信機能無し、フルカラー受信機能無し、ＪＰＥＧ受信機能無しを通知する。
【００５７】
Ｓ６０は、モノクロＧ３（ＥＣＭでない）受信、モノクロ記録を表している。
【００５８】
Ｓ６２は後手順を表している。
【００５９】
Ｓ６４は前手順を表している。ここで、ＥＣＭ受信機能有り、フルカラー受信機能有り、ＪＰＥＧ受信機能有りを通知する。
【００６０】
Ｓ６６では、相手送信機から、フルカラー、かつ、ＪＰＥＧ送信が指定されたか否かが判断され、ＹＥＳであるとＳ６８に進み、ＮＯであるとＳ７２に進む。
【００６１】
Ｓ６８は、カラーＥＣＭ受信、カラー記録を表している。
【００６２】
Ｓ７０は後手順を表している。
【００６３】
Ｓ７２では、相手送信機から、ＥＣＭ送信が指定されたか否かが判断され、ＹＥＳであるとＳ７４に進み、ＮＯであるとＳ６０に進む。
【００６４】
Ｓ７４は、モノクロＥＣＭ受信、モノクロ記録を表している。
【００６５】
Ｓ７６は後手順を表している。
【００６６】
（実施例２）
カラー情報を通信可能な通信装置において、受信機から送信機に、ＪＰＥＧ符号化に基づいた受信機能の有無、フルカラーモードでの受信機能の有無、エラーコレクションモードでの受信機能の有無を通知する手段、送信機から受信機に、ＪＰＥＧ符号化に基づいた送信指定、フルカラーモードでの送信指定、エラーコレクションモードでの送信指定を実行する手段、エラーコレクション通信を実行するか否かを選択する手段、カラー送信を選択する手段を有し、送信時は、エラーコレクション通信を実行しない事が選択されているとカラー送信の選択状況に無関係にカラー送信を実行しないで、また、カラー送信が選択時にて、相手受信機にフルカラー受信機能、及び、ＪＰＥＧ受信機能が無いとカラー送信を実行しないで、受信時は、エラーコレクション通信を実行しない事が選択されていると、受信時に、ＪＰＥＧ符号化に基づいた受信機能無し、フルカラーモードでの受信機能無し、エラーコレクションモードでの受信機能無しを通知する。
【００６７】
以上の制御を実行してもよい。
【００６８】
メモリ１８には、ＥＣＭ通信を実行する、しないを登録するメモリがある。
【００６９】
図７には図３、４、５、６の制御の流れ図に対して異なる部分の制御の流れ図が図示されている。
【００７０】
図７において、Ｓ８０はＳ６を表している。
【００７１】
Ｓ８２では、バス２６を介して、操作部の情報を入力し、ＥＣＭ通信の実行する、しないの登録が選択されているか否かが判断され、ＹＥＳであるとＳ８４に進み、バス２６を介して、メモリ１８にＥＣＭ通信の実行する、しないを登録し、ＮＯであるとＳ８６（Ｓ１６）に進む。
【００７２】
そして、Ｓ２８、Ｓ３８、Ｓ５６を、全て、「バス２６を介して、メモリ１８に格納されている情報を入力し、ＥＣＭ通信を実行すると登録されているか否かが判断され」に変更する。
【００７３】
【発明の効果】
第１、２の本発明によれば、エラーコレクション送信を実行しないが選択時は、合わせて、カラー送信も実行しない事が可能になり、プロトコル上での不具合が皆無になり、確実にエラーコレクションモードを実行せずにファクシミリ送信が可能になりとても使い易くなった。
【００７４】
第３の本発明によれば、エラーコレクション受信を実行しないが選択時は、合わせて、カラー受信も実行しない事が可能になり、プロトコル上での不具合が皆無になり、確実にエラーコレクションモードを実行せずにファクシミリ受信が可能になりとても使い易くなった。
【００７５】
第４の本発明によれば、エラーコレクション通信を実行しないが選択時は、合わせて、カラー通信も実行しない事が可能になり、プロトコル上での不具合が皆無になり、確実にエラーコレクションモードを実行せずにファクシミリ通信が可能になりとても使い易くなった。
【図面の簡単な説明】
【図１】  本発明によるファクシミリ装置の実施例のブロック図
【図２】  本発明による制御の流れ図
【図３】  本発明による制御の流れ図
【図４】  本発明による制御の流れ図
【図５】  本発明による制御の流れ図
【図６】  本発明による制御の流れ図
【図７】  本発明による制御の流れ図
【符号の説明】
２  ＮＣＵ
４  電話機
６  ハイブリッド回路
８  変復調器
１０  発呼回路
１２  加算回路
１４  読取回路
１６  記録回路
１８  メモリ回路
２０  操作部
２２  ＣＰＵ
２４  ＲＯＭ
２６  バス
【図１】
0004652625.tif 000002
【図２】
0004652625.tif 000003
【図３】
0004652625.tif 000004
【図４】
0004652625.tif 000005
【図５】
0004652625.tif 000006
【図６】
0004652625.tif 000007
【図７】
0004652625.tif 000008